(57)【要約】【課題】釣銭としての硬貨の出金処理を行う途中で硬貨の搬送路においてジャムが生じる等の異常が発生しても顧客を長い間待たせてしまうことを防止することができる貨幣釣銭機および貨幣処理システムを提供する。【解決手段】貨幣釣銭機は、搬送部から送られた貨幣を収納するとともに収納されている貨幣を搬送部に繰り出し可能な収納繰出部（例えば、硬貨収納部１０６や紙幣収納部２０６）と、収納繰出部とは別に設けられ、少なくとも釣銭として用いられるべき硬貨を収納可能な硬貨用追加収納部（例えば、追加収納部１５４や追加収納部２５４）とを備えている。【選択図】図３
2017142688.tif 000002
【特許請求の範囲】
【請求項１】
筐体内で貨幣を搬送する搬送部と、
前記搬送部から送られた貨幣を収納するとともに収納されている貨幣を前記搬送部に繰り出し可能な収納繰出部と、
前記収納繰出部とは別に設けられ、少なくとも釣銭として用いられるべき硬貨を収納可能な硬貨用追加収納部と、
を備えた、貨幣釣銭機。
【請求項２】
前記貨幣釣銭機において異常が発生していることを検知する異常検知手段を更に備え、
前記硬貨用追加収納部は、前記異常検知手段により異常が検知されたときに前記筐体の外部から当該硬貨用追加収納部にアクセスすることができるような構成となっている、請求項１記載の貨幣釣銭機。
【請求項３】
開閉可能となっており前記硬貨用追加収納部を選択的に閉じるカバー部材および前記硬貨用追加収納部を閉じた状態で前記カバー部材をロックするロック機構を更に備え、
前記異常検知手段により異常が検知されたときに前記ロック機構による前記カバー部材のロックが解除されることにより前記カバー部材を開くことができるようになっている、請求項２記載の貨幣釣銭機。
【請求項４】
前記硬貨用追加収納部は、釣銭として用いられるべき紙幣も収納することができるような構成となっている、請求項１乃至３のいずれか一項に記載の貨幣釣銭機。
【請求項５】
前記収納繰出部とは別に設けられ、釣銭として用いられるべき紙幣を収納可能な紙幣用追加収納部を更に備えた、請求項１乃至３のいずれか一項に記載の貨幣釣銭機。
【請求項６】
前記貨幣釣銭機において異常が発生しているときに硬貨および紙幣のうちどちらの種類の貨幣の異常であるかを判別する異常種類判別手段を更に備え、
前記硬貨用追加収納部および前記紙幣用追加収納部は、それぞれ、前記異常種類判別手段により異常が判別された貨幣の種類に対応する前記硬貨用追加収納部または前記紙幣用追加収納部にアクセスすることができるような構成となっている、請求項５記載の貨幣釣銭機。
【請求項７】
前記貨幣釣銭機において異常が発生しているときに硬貨および紙幣のうちどちらの種類の貨幣の異常であるかを判別する異常種類判別手段を更に備え、
前記硬貨用追加収納部および前記紙幣用追加収納部は、それぞれ、前記異常種類判別手段により異常が判別された貨幣の種類に対応する前記硬貨用追加収納部または前記紙幣用追加収納部から前記搬送部に硬貨または紙幣を繰り出すことができるような構成となっており、前記硬貨用追加収納部または前記紙幣用追加収納部から前記搬送部に繰り出された硬貨または紙幣が釣銭として出金されるようになっている、請求項５記載の貨幣釣銭機。
【請求項８】
釣銭として出金されるべき貨幣の金種毎の枚数または金額に係る情報を受け付ける出金情報受付手段を更に備え、
前記異常検知手段により異常が検知されたときに、前記出金情報受付手段により少なくとも硬貨の出金処理に係る情報が受け付けられていることを条件として、前記ロック機構による前記カバー部材のロックが解除されるようになっている、請求項３記載の貨幣釣銭機。
【請求項９】
貨幣の処理状況に関する情報を記憶する記憶部を更に備え、
前記ロック機構による前記カバー部材のロックが解除されると、前記ロック機構による前記カバー部材のロックが解除されたという情報が前記記憶部に記憶されるようになっている、請求項３記載の貨幣釣銭機。
【請求項１０】
前記硬貨用追加収納部に収納されている貨幣の在高を管理する在高管理手段を更に備え、
前記搬送部には、当該搬送部により搬送される貨幣を識別する識別部が設けられており、
前記在高管理手段により管理される貨幣の在高と、前記硬貨用追加収納部に収納されている貨幣が前記識別部により識別されたときの識別結果とを比較する第１比較手段が設けられている、請求項１乃至９のいずれか一項に記載の貨幣釣銭機。
【請求項１１】
筐体内で貨幣を搬送する搬送部、前記搬送部から送られた貨幣を収納するとともに収納されている貨幣を前記搬送部に繰り出し可能な収納繰出部、および前記収納繰出部とは別に設けられ、少なくとも釣銭として用いられるべき硬貨を収納可能な硬貨用追加収納部を有する貨幣釣銭機と、
前記貨幣釣銭機とは別に設けられ、当該貨幣釣銭機の管理を行う管理装置と、
前記管理装置と通信可能に設けられ、少なくとも貨幣の入金処理を行う入金機と、
を備えた貨幣処理システムであって、
前記硬貨用追加収納部に収納されている貨幣の在高を管理する在高管理手段と、
前記在高管理手段により管理される貨幣の在高と、前記貨幣釣銭機の前記硬貨用追加収納部から回収された貨幣が前記入金機に入金されたときの入金結果とを比較する第２比較手段と、
を備えた、貨幣処理システム。
【発明の詳細な説明】
【技術分野】
【０００１】
本発明は、売上金としての貨幣を入金するとともに釣銭としての貨幣を出金する貨幣釣銭機およびこのような貨幣釣銭機を備えた貨幣処理システムに関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。また、このような貨幣釣銭機にはキャッシュドロアが併設されるようになっており、貨幣釣銭機において釣銭としての貨幣を出金する際に硬貨や紙幣が搬送路で詰まってしまう等の異常が発生している場合には、顧客を待たせることのないよう操作者はキャッシュドロアから釣銭としての貨幣を取り出して顧客に手渡すようになっている。しかしながら、貨幣釣銭機にキャッシュドロアを併設する場合には、キャッシュドロアの追加設備投資が必要となり、また、システム全体の設置スペースが大きくなってしまうという問題がある。
【０００３】
これに対し、特許文献１には、リサイクル庫等の紙幣収納庫とは別に、紙幣を保管する緊急時専用出金庫が設けられており、紙幣の搬送路においてジャムが発生している場合に緊急時専用出金庫から緊急時紙幣搬送路を介して緊急時用出金庫から紙幣を出金するような紙幣取扱装置が開示されている。特許文献１に開示されるような紙幣取扱装置では、紙幣の搬送路においてジャムが発生しても紙幣の出金処理を行うことができるようになる。
【先行技術文献】
【特許文献】
【０００４】
【特許文献１】特開２００６−６５５３９号公報
【発明の概要】
【発明が解決しようとする課題】
【０００５】
しかしながら、特許文献１に開示されるような紙幣取扱装置の原理を貨幣釣銭機に適用しても、硬貨の搬送路においてジャムが発生している場合に釣銭としての硬貨をすぐに出金することができないという問題があった。
【０００６】
本発明は、このような点を考慮してなされたものであり、釣銭としての硬貨の出金処理を行う途中で硬貨の搬送路においてジャムが生じる等の異常が発生しても顧客を長い間待たせてしまうことを防止することができる貨幣釣銭機および貨幣処理システムを提供することを目的とする。
【課題を解決するための手段】
【０００７】
本発明の貨幣釣銭機は、筐体内で貨幣を搬送する搬送部と、前記搬送部から送られた貨幣を収納するとともに収納されている貨幣を前記搬送部に繰り出し可能な収納繰出部と、前記収納繰出部とは別に設けられ、少なくとも釣銭として用いられるべき硬貨を収納可能な硬貨用追加収納部と、を備えたことを特徴とする。
【０００８】
このような貨幣釣銭機によれば、硬貨の搬送路においてジャムが生じており当該搬送路を使って硬貨の出金処理を行うことができない場合でも釣銭としての硬貨を硬貨用追加収納部から取り出すことができるため、釣銭としての硬貨の出金処理を行う途中で硬貨の搬送路においてジャムが生じる等の異常が発生しても顧客を長い間待たせてしまうことを防止することができる。
【０００９】
本発明の貨幣釣銭機は、前記貨幣釣銭機において異常が発生していることを検知する異常検知手段を更に備え、前記硬貨用追加収納部は、前記異常検知手段により異常が検知されたときに前記筐体の外部から当該硬貨用追加収納部にアクセスすることができるような構成となっていてもよい。
【００１０】
この場合、本発明の貨幣釣銭機は、開閉可能となっており前記硬貨用追加収納部を選択的に閉じるカバー部材および前記硬貨用追加収納部を閉じた状態で前記カバー部材をロックするロック機構を更に備え、前記異常検知手段により異常が検知されたときに前記ロック機構による前記カバー部材のロックが解除されることにより前記カバー部材を開くことができるようになっていてもよい。
【００１１】
本発明の貨幣釣銭機においては、前記硬貨用追加収納部は、釣銭として用いられるべき紙幣も収納することができるような構成となっていてもよい。
【００１２】
あるいは、本発明の貨幣釣銭機は、前記収納繰出部とは別に設けられ、釣銭として用いられるべき紙幣を収納可能な紙幣用追加収納部を更に備えていてもよい。
【００１３】
この場合、本発明の貨幣釣銭機は、前記貨幣釣銭機において異常が発生しているときに硬貨および紙幣のうちどちらの種類の貨幣の異常であるかを判別する異常種類判別手段を更に備え、前記硬貨用追加収納部および前記紙幣用追加収納部は、それぞれ、前記異常種類判別手段により異常が判別された貨幣の種類に対応する前記硬貨用追加収納部または前記紙幣用追加収納部にアクセスすることができるような構成となっていてもよい。
【００１４】
あるいは、本発明の貨幣釣銭機は、前記貨幣釣銭機において異常が発生しているときに硬貨および紙幣のうちどちらの種類の貨幣の異常であるかを判別する異常種類判別手段を更に備え、前記硬貨用追加収納部および前記紙幣用追加収納部は、それぞれ、前記異常種類判別手段により異常が判別された貨幣の種類に対応する前記硬貨用追加収納部または前記紙幣用追加収納部から前記搬送部に硬貨または紙幣を繰り出すことができるような構成となっており、前記硬貨用追加収納部または前記紙幣用追加収納部から前記搬送部に繰り出された硬貨または紙幣が釣銭として出金されるようになっていてもよい。
【００１５】
本発明の貨幣釣銭機は、釣銭として出金されるべき貨幣の金種毎の枚数または金額に係る情報を受け付ける出金情報受付手段を更に備え、前記異常検知手段により異常が検知されたときに、前記出金情報受付手段により少なくとも硬貨の出金処理に係る情報が受け付けられていることを条件として、前記ロック機構による前記カバー部材のロックが解除されるようになっていてもよい。
【００１６】
本発明の貨幣釣銭機は、貨幣の処理状況に関する情報を記憶する記憶部を更に備え、前記ロック機構による前記カバー部材のロックが解除されると、前記ロック機構による前記カバー部材のロックが解除されたという情報が前記記憶部に記憶されるようになっていてもよい。
【００１７】
本発明の貨幣釣銭機は、前記硬貨用追加収納部に収納されている貨幣の在高を管理する在高管理手段を更に備え、前記搬送部には、当該搬送部により搬送される貨幣を識別する識別部が設けられており、前記在高管理手段により管理される貨幣の在高と、前記硬貨用追加収納部に収納されている貨幣が前記識別部により識別されたときの識別結果とを比較する第１比較手段が設けられていてもよい。
【００１８】
本発明の貨幣処理システムは、筐体内で貨幣を搬送する搬送部、前記搬送部から送られた貨幣を収納するとともに収納されている貨幣を前記搬送部に繰り出し可能な収納繰出部、および前記収納繰出部とは別に設けられ、少なくとも釣銭として用いられるべき硬貨を収納可能な硬貨用追加収納部を有する貨幣釣銭機と、前記貨幣釣銭機とは別に設けられ、当該貨幣釣銭機の管理を行う管理装置と、前記管理装置と通信可能に設けられ、少なくとも貨幣の入金処理を行う入金機と、を備えた貨幣処理システムであって、前記硬貨用追加収納部に収納されている貨幣の在高を管理する在高管理手段と、前記在高管理手段により管理される貨幣の在高と、前記貨幣釣銭機の前記硬貨用追加収納部から回収された貨幣が前記入金機に入金されたときの入金結果とを比較する第２比較手段と、を備えたことを特徴とする。
【００１９】
このような貨幣処理システムによれば、貨幣釣銭機の硬貨の搬送路においてジャムが生じており当該搬送路を使って硬貨の出金処理を行うことができない場合でも釣銭としての硬貨を硬貨用追加収納部から取り出すことができるため、釣銭としての硬貨の出金処理を行う途中で硬貨の搬送路においてジャムが生じる等の異常が発生しても顧客を長い間待たせてしまうことを防止することができる。しかも、在高管理手段により管理される貨幣の在高と、貨幣釣銭機の硬貨用追加収納部から回収された貨幣が入金機に入金されたときの入金結果とを比較することにより、貨幣釣銭機の硬貨用追加収納部から回収された貨幣が全て入金機に入金されたか否かを判別することができるようになる。
【発明の効果】
【００２０】
本発明の貨幣釣銭機および貨幣処理システムによれば、釣銭としての硬貨の出金処理を行う途中で硬貨の搬送路においてジャムが生じる等の異常が発生しても顧客を長い間待たせてしまうことを防止することができる。
【図面の簡単な説明】
【００２１】
【図１】本発明の実施の形態による貨幣釣銭機が設置された店舗の構成の概略を示す概略構成図である。
【図２】図１に示す店舗のフロント領域の精算所に設置されたレジユニットにおける貨幣釣銭機およびＰＯＳレジスタの構成を示す斜視図である。
【図３】図２に示す貨幣釣銭機においてカバー部材を開いたときの状態を示す斜視図である。
【図４】図２等に示すレジユニットの構成の概略を示す概略構成図である。
【図５】図２等に示すレジユニットの制御系の構成を示す機能ブロック図である。
【図６】変形例に係る貨幣釣銭機およびＰＯＳレジスタの構成を示す斜視図である。
【図７】図６に示す貨幣釣銭機においてカバー部材を開いたときの状態を示す斜視図である。
【図８】図６等に示すレジユニットの制御系の構成を示す機能ブロック図である。
【発明を実施するための形態】
【００２２】
以下、図面を参照して本発明の実施の形態について説明する。図１乃至図５は、本実施の形態による貨幣釣銭機およびこのような貨幣釣銭機を備えたレジユニットを示す図である。このうち、図１は、本実施の形態による貨幣釣銭機が設置された店舗の構成の概略を示す概略構成図であり、図２および図３は、それぞれ、図１に示す店舗のフロント領域の精算所に設置されたレジユニットにおける貨幣釣銭機およびＰＯＳレジスタの構成を示す斜視図である。また、図４は、図２等に示すレジユニットの構成の概略を示す概略構成図であり、図５は、図２等に示すレジユニットの制御系の構成を示す機能ブロック図である。
【００２３】
図１に示すように、スーパーマーケットやコンビニエンスストア等の店舗１０において、顧客が立ち入ることができるフロント領域１２には様々な商品が陳列された商品棚１４が設置されているとともに、このフロント領域１２の精算所１６にはレジユニット１８が設置されている。後述するように、レジユニット１８は、硬貨釣銭機１００、紙幣釣銭機２００およびＰＯＳレジスタ３００等から構成されている（図２等参照）。顧客がこのような精算所１６で精算処理を行う際に、店員は、顧客から受け取った商品の代金としての貨幣をレジユニット１８の硬貨釣銭機１００や紙幣釣銭機２００に入金したり、釣銭としての貨幣を硬貨釣銭機１００や紙幣釣銭機２００から出金して顧客に返却したりするようになっている。また、このような店舗１０における顧客の立ち入りが禁止されたバックヤード領域２０には、硬貨釣銭機１００や紙幣釣銭機２００から回収された売上金としての貨幣が入金される売上入金機２２が設置されている。売上入金機２２に入金された売上金としての貨幣は、警送会社の収集担当者により回収されて当該警送会社の管理センターに運搬されるようになっている。
【００２４】
フロント領域１２の精算所１６に設置されたレジユニット１８の構成の詳細について図２乃至図４を用いて説明する。なお、前述したように、図２は、レジユニット１８における硬貨釣銭機１００、紙幣釣銭機２００およびＰＯＳレジスタ３００の構成を示す斜視図であり、図３は、図２に示す紙幣釣銭機２００のカバー部材２５０（後述）を開いたときの状態を示す斜視図である。また、図４は、図２等に示すレジユニット１８の内部構成の概略を示す概略構成図であり、図５は、図２等に示すレジユニット１８の制御系の構成を示す機能ブロック図である。
【００２５】
図２等に示すように、レジユニット１８は、硬貨釣銭機１００と、紙幣釣銭機２００と、ＰＯＳレジスタ３００とを備えており、硬貨釣銭機１００および紙幣釣銭機２００は、それぞれ硬貨や紙幣の入出金処理を行うようになっている。また、図２に示すように、硬貨釣銭機１００および紙幣釣銭機２００は左右方向に並ぶよう配置されている。そして、ＰＯＳレジスタ３００は、硬貨釣銭機１００および紙幣釣銭機２００の上面に載置されるようになっている。以下、硬貨釣銭機１００および紙幣釣銭機２００を組み合わせたものを貨幣釣銭機という。また、本実施の形態のレジユニット１８において、ＰＯＳレジスタ３００は、貨幣釣銭機（具体的には、硬貨釣銭機１００および紙幣釣銭機２００）の管理を行う管理装置として機能するようになっている。
【００２６】
また、図４および図５に示すように、ＰＯＳレジスタ３００は店舗サーバ５００に通信可能に接続されている。そして、ＰＯＳレジスタ３００から店舗サーバ５００に売上金情報等が送信されるようになっている。また、各種設定情報が、店舗サーバ５００からＰＯＳレジスタ３００（複数台でも可）に配信されるようになっている。また、ＰＯＳレジスタ３００には売上入金機２２も通信可能に接続されており、ＰＯＳレジスタ３００と売上入金機２２との間で様々な情報の送受信が行われるようになっている。
【００２７】
図４および図５に示すように、硬貨釣銭機１００は、上位制御部１２０および硬貨釣銭機制御部１３０を有しており、これらの上位制御部１２０および硬貨釣銭機制御部１３０は互いに接続されている。また、紙幣釣銭機２００は、紙幣釣銭機制御部２３０を有しており、この紙幣釣銭機制御部２３０は硬貨釣銭機１００の上位制御部１２０に通信可能に接続されている。また、ＰＯＳレジスタ３００もＰＯＳ制御部３３０を有しており、硬貨釣銭機１００の上位制御部１２０はＰＯＳレジスタ３００のＰＯＳ制御部３３０に通信可能に接続されている。なお、図４および図５に示す例では、上位制御部１２０が硬貨釣銭機１００に設けられている態様が示されているが、このような例に限定されることはない。本実施の形態による貨幣釣銭機の他の例として、硬貨釣銭機ではなく紙幣釣銭機に上位制御部が設けられていてもよく、あるいは硬貨釣銭機および紙幣釣銭機の両方に上位制御部がそれぞれ設けられていてもよい。
【００２８】
以下、硬貨釣銭機１００、紙幣釣銭機２００およびＰＯＳレジスタ３００の各々の構成について図２乃至図４を用いて詳述する。
【００２９】
まず、硬貨釣銭機１００の構成について具体的に説明する。図２等に示すように、硬貨釣銭機１００は略直方体形状の筐体１１０を備えており、この筐体１１０の前部上面にはタッチパネル等の第１操作表示部１１２が設けられている。また、筐体１１０の前部には硬貨受入部１１４および硬貨払出部１１６がそれぞれ設けられている。
【００３０】
また、図４に示すように、硬貨受入部１１４には、当該硬貨受入部１１４から筐体１１０の内部に投入された硬貨を搬送する入金搬送部１０３が接続されている。ここで、硬貨受入部１１４には、当該硬貨受入部１１４に投入された硬貨を１枚ずつ入金搬送部１０３に繰り出す繰出部として搬送ベルト等が設けられている。また、硬貨受入部１１４には、当該硬貨受入部１１４内に硬貨が残留するか否かを検知する光センサ等の残留検知センサ１１４ａ（図４参照）が設けられている。そして、硬貨釣銭機１００において硬貨の入金処理が行われる際に、硬貨受入部１１４内に硬貨が存在することが残留検知センサ１１４ａにより検知されると繰出部としての搬送ベルトが駆動され、硬貨受入部１１４に受け入れられた硬貨が１枚ずつ搬送ベルトにより入金搬送部１０３に繰り出されるようになる。
【００３１】
図４に示すように、入金搬送部１０３の途中箇所には、硬貨の金種、真偽、正損、新旧、搬送状態等の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を入金搬送部１０３から出金搬送部１０８に分岐させるようになっている。
【００３２】
一方、正常硬貨等の機体内に収納されるべき硬貨は入金搬送部１０３により各硬貨収納部１０６へ搬送されるようになっている。各硬貨収納部１０６は硬貨を金種別に収納するようになっている。
【００３３】
出金搬送部１０８は、各硬貨収納部１０６から繰り出された硬貨を硬貨払出部１１６へ搬送するようになっている。また、出金搬送部１０８は、分岐部１０４により入金搬送部１０３から分岐させられたリジェクト硬貨等も硬貨払出部１１６へ搬送するようになっている。
【００３４】
図２乃至図４に示すように、硬貨払出部１１６には、当該硬貨払出部１１６から硬貨を抜き取ろうとする操作者の手を検知する抜き取り検知センサ１１６ａが設けられている。具体的には、抜き取り検知センサ１１６ａは発光素子および受光素子を含む光センサからなり、発光素子から発せられた光が、硬貨払出部１１６から硬貨を抜き取ろうとする操作者の手によって遮られて受光素子により受けられなくなったときに、この操作者の手が抜き取り検知センサ１１６ａにより検知されるようになる。
【００３５】
また、本実施の形態では、入金搬送部１０３や出金搬送部１０８等において硬貨のジャム（詰まり）が生じることにより硬貨釣銭機１００の筐体１１０の内部で異常が発生していることを検知する硬貨異常検知手段１６０が硬貨釣銭機１００に設けられている（図５参照）。このような硬貨異常検知手段１６０は、本実施の形態による貨幣釣銭機において異常が発生していることを検知する異常検知手段の一部として用いられるようになっている。
【００３６】
次に、紙幣釣銭機２００の構成について具体的に説明する。図２乃至図４に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４および紙幣回収カセット２０７が、周回搬送部２０３ａを外側から取り囲むように配置されている。
【００３７】
また、紙幣釣銭機２００の筐体２１０の内部には、紙幣受入部２１４、各紙幣収納部２０６、紙幣払出部２１６、出金リジェクト部２０４および紙幣回収カセット２０７の各々と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の金種、真偽、正損、新旧、搬送状態等の識別を行うようになっている。
【００３８】
また、周回搬送部２０３ａと各接続搬送部２０３ｂとの間で紙幣の搬送経路を切り換える経路切換部（図示せず）が、周回搬送部２０３ａに沿って配置されている。
【００３９】
図２乃至図４に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に設置されている。
【００４０】
紙幣受入部２１４は、投入された紙幣を検知すると駆動され、紙幣受入口２１４ａに挿入された入金紙幣を一括で取り込んで、接続搬送部２０３ｂを介して周回搬送部２０３ａ側へ１枚ずつ繰り出すようになっている。各紙幣収納部２０６は、紙幣識別部２０１の識別結果に基づいて紙幣を金種別に収納するとともに収納されている紙幣を接続搬送部２０３ｂを介して周回搬送部２０３ａ側へ１枚ずつ繰り出すようになっている。紙幣払出部２１６は、各紙幣収納部２０６から周回搬送部２０３ａに繰り出された紙幣を紙幣取出口２１６ａにより筐体２１０の外部へ放出するようになっている。
【００４１】
出金リジェクト部２０４は、紙幣の出金処理が行われる際に紙幣収納部２０６から繰り出された紙幣のうち、斜行等の搬送異常により紙幣識別部２０１で正常に識別することができない紙幣を出金リジェクト紙幣として収納する。また、紙幣受入部２１４から機体内に取り込まれた紙幣のうち、汚損等により紙幣識別部２０１で正常に識別することができない紙幣は入金リジェクト紙幣として紙幣払出部２１６に返却されるようになっている。
【００４２】
紙幣回収カセット２０７は筐体２１０の前面から引き出すことにより当該筐体２１０の外部に取り出すことができるようになっている。
【００４３】
また、本実施の形態では、周回搬送部２０３ａや接続搬送部２０３ｂ等において紙幣のジャム（詰まり）が生じることにより紙幣釣銭機２００の筐体２１０の内部で異常が発生していることを検知する紙幣異常検知手段２６０が紙幣釣銭機２００に設けられている（図５参照）。このような紙幣異常検知手段２６０は、本実施の形態による貨幣釣銭機において異常が発生していることを検知する異常検知手段の一部として用いられるようになっている。
【００４４】
また、本実施の形態では、紙幣釣銭機２００の筐体２１０の前部上面に開閉可能なカバー部材２５０が設けられており、このカバー部材２５０にはタッチパネル等の第２操作表示部２５２が設けられている。ここで、図２は、カバー部材２５０を閉じたときの状態を示す図であり、図３は、カバー部材２５０を開いたときの状態を示す図である。また、紙幣釣銭機２００におけるカバー部材２５０の裏側には追加収納部２５４が設けられており、図３に示すようにカバー部材２５０を開くと操作者は紙幣釣銭機２００の筐体２１０の外部から追加収納部２５４にアクセスすることができるようになっている。ここで、追加収納部２５４には、少なくとも釣銭として用いられるべきバラ硬貨や棒金硬貨、バラ紙幣等が収納されるようになっている。図３において、追加収納部２５４に収納されている棒金硬貨およびバラ紙幣をそれぞれ参照符合Ｃ、Ｐで示している。なお、図３では図示していないが、釣銭として用いられるべきバラ硬貨を追加収納部２５４に収納してもよい。また、追加収納部２５４において、１つの収納領域にバラ硬貨や棒金硬貨、バラ紙幣等がまとめて収納されるようになっていてもよく、あるいは、追加収納部２５４において、バラ硬貨や棒金硬貨、バラ紙幣等がそれぞれ収納される複数の収納領域を区画するための仕切板等の区画部材が設けられていてもよい。また、追加収納部２５４に設けられる収納領域は、少なくとも９，９９９円分の硬貨や紙幣を収納することができるような大きさとなっている。なお、追加収納部２５４は、１万円分以上の硬貨や紙幣を収納することができるような大きさとなっていてもよい。このような追加収納部２５４が設置されていることにより、硬貨釣銭機１００や紙幣釣銭機２００において釣銭としての硬貨や紙幣の出金処理を行う際に出金搬送部１０８や周回搬送部２０３ａ、接続搬送部２０３ｂ等において硬貨や紙幣のジャムが発生しても操作者はカバー部材２５０を開くことにより追加収納部２５４から釣銭として用いられるべき硬貨や紙幣を取り出すことができ、よって顧客に釣銭としての硬貨や紙幣を迅速に手渡すことができるようになる。
【００４５】
また、本実施の形態の紙幣釣銭機２００には、図２に示すような追加収納部２５４を閉じた状態でカバー部材２５０をロックするロック機構２５６が設けられている（図５参照）。ここで、ロック機構２５６によりカバー部材２５０が図２に示すような閉じた状態でロックされている場合には、操作者は手動でカバー部材２５０を開くことができないようになる。一方、ロック機構２５６によるカバー部材２５０のロックが解除されると、図３に示すように操作者は手動でカバー部材２５０を開くことができようになる。後述するように、例えば硬貨異常検知手段１６０や紙幣異常検知手段２６０により硬貨釣銭機１００や紙幣釣銭機２００で異常が発生していることが検知されたときに、ロック機構２５６によるカバー部材２５０のロックが解除されることによりカバー部材２５０を開くことができるようになっている。
【００４６】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００４７】
図４に示すように、ＰＯＳレジスタ３００のＰＯＳ制御部３３０は、硬貨釣銭機１００の上位制御部１２０に通信可能に接続されているとともに、店舗サーバ５００や売上入金機２２にも通信可能に接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００４８】
操作部３０４は、店員が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の在高を表示するようになっている。また、ＰＯＳレジスタ３００には顧客向けの追加の表示部３０２ａが設けられており、様々な情報を表示部３０２に表示させる代わりに、あるいは表示部３０２における表示に加えて、追加の表示部３０２ａにおいて顧客向けの表示が行われるようになっている。また、ＰＯＳレジスタ３００にはカードリーダライタ３３６および印字部３３８が設けられている（図５参照、図２乃至図４では図示せず）。カードリーダライタ３３６は、店員のＩＤカードを読み取ることにより店員のＩＤや権限等に関する情報を取得するようになっている。また、印字部３３８は例えばプリンタから構成され、取引内容をレシートに印字したり、硬貨釣銭機１００や紙幣釣銭機２００の在高等の様々な情報をレシートに印字したりするようになっている。
【００４９】
また、図２等に示すように、ＰＯＳレジスタ３００には、商品棚１４に陳列される商品に付されたバーコードの情報を読み取るバーコードスキャナ３５０が設けられている。
【００５０】
図５は、上述のような構成からなるレジユニット１８の制御系の構成を示す制御ブロック図である。図５に示すように、硬貨釣銭機１００の上位制御部１２０には、硬貨釣銭機１００のインターフェース１３２、第１操作表示部１１２および記憶部１３４がそれぞれ接続されている。この上位制御部１２０は、インターフェース１３２により、紙幣釣銭機２００の紙幣釣銭機制御部２３０およびＰＯＳレジスタ３００のＰＯＳ制御部３３０に対して信号の送受信を行うようになっている。また、店員により第１操作表示部１１２に入力された指令が当該第１操作表示部１１２から上位制御部１２０に送られるとともに、上位制御部１２０は第１操作表示部１１２に指令を送ることにより当該第１操作表示部１１２に様々な情報を表示させるようになっている。より詳細には、第１操作表示部１１２には、硬貨釣銭機１００や紙幣釣銭機２００における硬貨や紙幣の処理状況や、硬貨釣銭機１００や紙幣釣銭機２００の在高が表示されるようになっている。また、記憶部１３４には、硬貨釣銭機１００や紙幣釣銭機２００における硬貨や紙幣の処理履歴や、硬貨釣銭機１００や紙幣釣銭機２００の在高等の様々な情報が記憶されるようになっている。
【００５１】
また、硬貨釣銭機１００の上位制御部１２０には、釣銭として出金されるべき硬貨や紙幣の金種毎の枚数または金額に係る情報（以下、出金情報ともいう）を受け付ける出金情報受付手段１４０、追加収納部２５４に収納されている貨幣の在高を管理する在高管理手段１４２、および在高管理手段１４２により管理されている貨幣の在高と、追加収納部２５４に収納されている貨幣が硬貨識別部１０１や紙幣識別部２０１により識別されたときの識別結果とを比較する第１比較手段１４４がそれぞれ接続されている。これらの出金情報受付手段１４０、在高管理手段１４２および第１比較手段１４４の機能の詳細については後述する。
【００５２】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６、硬貨異常検知手段１６０等がそれぞれ接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。また、硬貨釣銭機１００において異常が発生していることが硬貨異常検知手段１６０により検知されると、この硬貨異常検知手段１６０による検知結果が硬貨釣銭機制御部１３０に送られるようになっている。
【００５３】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６、第２操作表示部２５２、ロック機構２５６、紙幣異常検知手段２６０等がそれぞれ接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６、ロック機構２５６等の各々に対して様々な指令が送られるようになっている。また、店員により第２操作表示部２５２に入力された指令が当該第２操作表示部２５２から紙幣釣銭機制御部２３０を介して上位制御部１２０に送られるとともに、上位制御部１２０は紙幣釣銭機制御部２３０を介して第２操作表示部２５２に指令を送ることにより当該第２操作表示部２５２に様々な情報を表示させるようになっている。また、紙幣釣銭機２００において異常が発生していることが紙幣異常検知手段２６０により検知されると、この紙幣異常検知手段２６０による検知結果が紙幣釣銭機制御部２３０を介して上位制御部１２０に送られるようになっている。また、紙幣釣銭機２００の紙幣釣銭機制御部２３０は、インターフェース２３２により、硬貨釣銭機１００の上位制御部１２０に対して信号の送受信を行うようになっている。
【００５４】
また、ＰＯＳレジスタ３００のＰＯＳ制御部３３０には、表示部３０２、操作部３０４、記憶部３３４、インターフェース３３２、カードリーダライタ３３６、印字部３３８等がそれぞれ接続されており、店員によって操作部３０４により入力された指令が当該操作部３０４からＰＯＳ制御部３３０に送られたり、カードリーダライタ３３６により読み取られた店員のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。また、ＰＯＳ制御部３３０は、表示部３０２に様々な情報を表示させる代わりに、あるいは表示部３０２における表示に加えて、追加の表示部３０２ａにおいて顧客向けの表示を行わせるようになっている。また、ＰＯＳ制御部３３０は印字部３３８に指令を送ることにより当該印字部３３８により様々な情報をレシートに印字させるようになっている。また、ＰＯＳレジスタ３００のＰＯＳ制御部３３０は、インターフェース３３２により、硬貨釣銭機１００の上位制御部１２０や店舗サーバ５００、売上入金機２２に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の在高等の様々な情報が記憶されるようになっている。
【００５５】
次に、このような構成からなるレジユニット１８の動作、具体的には硬貨釣銭機１００や紙幣釣銭機２００において硬貨や紙幣の入金処理や出金処理を行う際の動作について以下に説明する。
【００５６】
まず、硬貨釣銭機１００において売上金としての硬貨の入金処理を行う場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により入金搬送部１０３から出金搬送部１０８に分岐させられ、当該出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００５７】
次に、硬貨釣銭機１００において釣銭としての硬貨の出金処理を行う場合の動作について以下に説明する。硬貨釣銭機１００から釣銭としての硬貨を出金する場合には、操作者は第１操作表示部１１２により出金されるべき硬貨の金種別の枚数や合計金額等の出金情報を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００５８】
次に、紙幣釣銭機２００において売上金としての紙幣の入金処理が行われる際の動作について説明する。紙幣釣銭機２００の紙幣受入口２１４ａに紙幣が投入されると、紙幣受入部２１４は、紙幣受入口２１４ａに投入された入金紙幣を一括で取り込んで、接続搬送部２０３ｂを介して周回搬送部２０３ａに紙幣を１枚ずつ繰り出す。そして、周回搬送部２０３ａに繰り出された紙幣は当該周回搬送部２０３ａにより搬送され、この際に紙幣識別部２０１により紙幣の識別が行われる。紙幣識別部２０１により識別が行われた紙幣のうち正常な紙幣であると判別された紙幣は、その金種に対応する各紙幣収納部２０６に送られ、これらの紙幣収納部２０６に収納される。具体的には、ある紙幣収納部２０６には千円札が収納され、別の紙幣収納部２０６には二千円札および五千円札が混合状態で収納され、更に別の紙幣収納部２０６には一万円札が収納される。一方、紙幣識別部２０１による識別結果により正常な紙幣ではないと判別された紙幣は入金リジェクト紙幣として周回搬送部２０３ａおよび接続搬送部２０３ｂにより紙幣払出部２１６に搬送され、この紙幣払出部２１６に集積される。そして、紙幣受入口２１４ａに投入された入金紙幣が全て各紙幣収納部２０６または紙幣払出部２１６に送られた後、紙幣払出部２１６に集積された入金リジェクト紙幣が紙幣取出口２１６ａに送られる。このことにより、操作者は、入金リジェクト紙幣を紙幣取出口２１６ａから取り出して紙幣受入部２１４の紙幣受入口２１４ａに再投入することができるようになる。
【００５９】
次に、紙幣釣銭機２００において釣銭としての紙幣の出金処理が行われる際の動作について以下に説明する。出金される紙幣の合計金額あるいは金種別の枚数等の出金情報を含む出金処理の開始指令がＰＯＳレジスタ３００の操作部３０４や硬貨釣銭機１００の第１操作表示部１１２により上位制御部１２０に入力されると、各紙幣収納部２０６に収納されている紙幣が１枚ずつ接続搬送部２０３ｂに繰り出され、この接続搬送部２０３ｂから周回搬送部２０３ａに紙幣が受け渡される。周回搬送部２０３ａに送られた紙幣は当該周回搬送部２０３ａで少なくとも１周回るよう搬送され、この際に紙幣識別部２０１により紙幣の金種、真偽、正損、新旧、搬送状態等の識別が行われる。紙幣識別部２０１により識別が行われた紙幣のうち正常な紙幣であると判別された紙幣は紙幣払出部２１６に搬送され、この紙幣払出部２１６に集積される。一方、紙幣識別部２０１による識別結果により正常な紙幣ではないと判別された紙幣（例えば、重送や斜行等の搬送異常の紙幣）は出金リジェクト紙幣として周回搬送部２０３ａおよび接続搬送部２０３ｂにより出金リジェクト部２０４に搬送され、この出金リジェクト部２０４に集積される。出金リジェクト部２０４に集積された出金リジェクト紙幣は、店舗１０の店長や管理者等の所定の権限を有する者が紙幣釣銭機２００の筐体２１０から本体部分を手前側に引き出すことにより出金リジェクト部２０４から取り出すことができるようになる。そして、出金されるべき紙幣が各紙幣収納部２０６から紙幣払出部２１６に送られた後、紙幣払出部２１６に集積された紙幣が一括して紙幣取出口２１６ａに送られる。このことにより、操作者は、出金紙幣を紙幣取出口２１６ａから取り出すことができるようになる。
【００６０】
次に、硬貨釣銭機１００や紙幣釣銭機２００において釣銭としての硬貨や紙幣の出金処理が行われている途中で、出金搬送部１０８や周回搬送部２０３ａ、接続搬送部２０３ｂ等において硬貨や紙幣のジャムが発生した場合の動作について説明する。出金搬送部１０８や周回搬送部２０３ａ、接続搬送部２０３ｂ等において硬貨や紙幣のジャムが生じると、硬貨釣銭機１００や紙幣釣銭機２００において異常が発生していることが硬貨異常検知手段１６０や紙幣異常検知手段２６０により検知される。この場合には、上位制御部１２０は、紙幣釣銭機制御部２３０を介して、ロック機構２５６によるカバー部材２５０のロックを解除させる。このことにより、操作者は図３に示すようにカバー部材２５０を開くことができるようになり、カバー部材２５０を開いた操作者は釣銭として用いられるべき硬貨や紙幣を追加収納部２５４から取り出すことができるようになる。このことにより、店員等の操作者は顧客に釣銭としての硬貨や紙幣を迅速に渡すことができるようになる。このように、本実施の形態では、追加収納部２５４は、硬貨異常検知手段１６０や紙幣異常検知手段２６０により異常が検知されたときに筐体２１０の外部から追加収納部２５４にアクセスすることができるような構成となっている。
【００６１】
なお、上記の説明では、追加収納部２５４は、バラ硬貨、棒金硬貨およびバラ紙幣を収納することができるような構成となっているが、追加収納部２５４はこのような構成に限定されることはない。追加収納部２５４の他の例として、バラ硬貨および棒金硬貨のみを収納することができるような構成のものが用いられてもよく、あるいはバラ硬貨のみを収納することができるような構成のものが用いられてもよい。また、追加収納部２５４に紙幣や硬貨以外の有価媒体（例えば、商品券等）を収納させることができるようになっていてもよい。
【００６２】
また、本実施の形態では、硬貨釣銭機１００や紙幣釣銭機２００において釣銭としての硬貨や紙幣の出金処理を行う際に、操作者が第１操作表示部１１２や第２操作表示部２５２により釣銭として出金されるべき硬貨や紙幣の金種毎の枚数または金額に係る情報を入力したり、ＰＯＳレジスタ３００等の外部装置からインターフェース１３２を介して上位制御部１２０に釣銭として出金されるべき硬貨や紙幣の金種毎の枚数または金額に係る情報が送信されたりすることにより、釣銭として出金されるべき硬貨や紙幣の金種毎の枚数または金額に係る情報が出金情報として出金情報受付手段１４０により受け付けられるようになっている。ここで、硬貨異常検知手段１６０や紙幣異常検知手段２６０により異常が検知されたときに、出金情報受付手段１４０により硬貨や紙幣の出金処理に係る情報が受け付けられていることを条件として、ロック機構２５６によるカバー部材２５０のロックが解除されるようになっていてもよい。また、追加収納部２５４として、バラ硬貨および棒金硬貨のみを収納することができるような構成のものが用いられる場合には、硬貨異常検知手段１６０により異常が検知されたときに、出金情報受付手段１４０により硬貨の出金処理に係る情報が受け付けられていることを条件として、ロック機構２５６によるカバー部材２５０のロックが解除されるようになっていてもよい。
【００６３】
また、本実施の形態では、ロック機構２５６によるカバー部材２５０のロックが解除されると、ロック機構２５６によるカバー部材２５０のロックが解除されたという情報がログとして記憶部１３４に記憶されるようになっている。このことにより、釣銭としての硬貨や紙幣を操作者が追加収納部２５４から取り出した場合、このような追加収納部２５４からの硬貨や紙幣の取り出し動作の履歴を、ロック機構２５６によるカバー部材２５０のロックの解除のログという形で記憶部１３４に記憶させることができるようになる。また、この際に、追加収納部２５４からの硬貨や紙幣の取り出し動作の履歴を、操作者のＩＤ情報に紐付けて記憶部１３４に記憶させてもよい。この場合には、記憶部１３４に記憶されている情報に基づいて、追加収納部２５４から硬貨や紙幣の取り出しを行った操作者を特定することができるようになる。
【００６４】
また、本実施の形態の貨幣釣銭機において、追加収納部２５４に収納されている釣銭用の硬貨や紙幣の在高を管理する在高管理手段１４２が設けられていてもよい。在高管理手段１４２は、例えば追加収納部２５４に配置されており当該追加収納部２５４に収納されている硬貨や紙幣を検知する検知センサ等を有しており、このような検知センサ等による硬貨や紙幣の検知結果に基づいて、追加収納部２５４に収納されている釣銭用の硬貨や紙幣の在高が在高管理手段１４２により管理されるようになっている。
【００６５】
また、本実施の形態の貨幣釣銭機において、硬貨収納部１０６や紙幣収納部２０６に収納されている硬貨や紙幣の回収処理を行ったり、貨幣釣銭機の締め処理を行ったりする際に、追加収納部２５４に収納されている釣銭用の硬貨や紙幣もこの追加収納部２５４から取り出されて回収されるようになっている。このときに、操作者は追加収納部２５４から取り出された硬貨や紙幣を硬貨釣銭機１００の硬貨受入部１１４や紙幣釣銭機２００の紙幣受入部２１４に投入することにより硬貨受入部１１４や紙幣受入部２１４から筐体１１０、２１０の内部に繰り出された硬貨や紙幣の計数処理が行われるようになっていてもよい。より詳細には、追加収納部２５４から取り出された硬貨や紙幣が硬貨釣銭機１００や紙幣釣銭機２００の筐体１１０、２１０の内部に繰り出されると、筐体１１０、２１０の内部に繰り出された硬貨や紙幣は硬貨識別部１０１や紙幣識別部２０１により識別されることによりこれらの硬貨や紙幣の計数が行われる。また、この場合には、在高管理手段１４２により管理されている硬貨や紙幣の在高と、追加収納部２５４から取り出された硬貨や紙幣が硬貨識別部１０１や紙幣識別部２０１により識別されたときの識別結果とが第１比較手段１４４により比較されるようになっていてもよい。両者が一致しないことが第１比較手段１４４により判別された場合には、追加収納部２５４から取り出された硬貨や紙幣が全て硬貨釣銭機１００の硬貨受入部１１４や紙幣釣銭機２００の紙幣受入部２１４に投入されていないと上位制御部１２０により判断されるようになる。このときには、第１操作表示部１１２や第２操作表示部２５２、あるいはＰＯＳレジスタ３００の表示部３０２には警告メッセージが表示されるようになる。
【００６６】
また、本実施の形態の貨幣釣銭機が設置される店舗１０では、営業開始前に、レジユニット１８における貨幣釣銭機の硬貨釣銭機１００や紙幣釣銭機２００に釣銭用の硬貨や紙幣が補充されるようになっている。また、この際に、追加収納部２５４に収納されるべき緊急用の釣銭としての硬貨や紙幣も硬貨釣銭機１００や紙幣釣銭機２００に一旦収納されるようになる。その後、緊急用の貨幣の出金指令を操作者が第１操作表示部１１２に入力したり、ＰＯＳレジスタ３００から上位制御部１２０に緊急用の貨幣の出金指令が送信されたりすることにより上位制御部１２０に緊急用の貨幣の出金指令が与えられると、予め設定されている所定の金額の硬貨や紙幣が硬貨釣銭機１００や紙幣釣銭機２００から出金される。また、上位制御部１２０に緊急用の貨幣の出金指令が与えられると、ロック機構２５６によるカバー部材２５０のロックが解除される。このことにより、操作者はカバー部材２５０を開くことによって硬貨釣銭機１００や紙幣釣銭機２００から出金された緊急用の貨幣を追加収納部２５４に収納することができるようになる。
【００６７】
また、店舗１０の営業終了後には、ロック機構２５６によるカバー部材２５０のロックが解除され、操作者は追加収納部２５４から硬貨や紙幣を取り出し、硬貨釣銭機１００の硬貨受入部１１４や紙幣釣銭機２００の紙幣受入部２１４に投入する。このことにより、追加収納部２５４から取り出された硬貨や紙幣が硬貨釣銭機１００の硬貨収納部１０６や紙幣釣銭機２００の紙幣収納部２０６に一旦収納されるようになる。その後、貨幣釣銭機における硬貨釣銭機１００や紙幣釣銭機２００に収納されている硬貨や紙幣の在高が確認されるようになる。最後に、硬貨釣銭機１００の硬貨収納部１０６や紙幣釣銭機２００の紙幣収納部２０６に収納されている硬貨や紙幣が回収され、バックヤード領域２０に設けられた売上入金機２２に入金される。このことにより店舗１０における一日の業務が終了する。
【００６８】
以上のような構成からなる本実施の形態の貨幣釣銭機によれば、搬送部から送られた貨幣を収納するとともに収納されている貨幣を搬送部に繰り出し可能な収納繰出部として硬貨収納部１０６や紙幣収納部２０６が設けられているとともに、収納繰出部とは別に、少なくとも釣銭として用いられるべき硬貨を収納可能な硬貨用追加収納部として追加収納部２５４が設けられている。このことにより、硬貨釣銭機１００において出金搬送部１０８等の硬貨の搬送路においてジャムが生じており当該搬送路を使って硬貨の出金処理を行うことができない場合でも釣銭としての硬貨を硬貨用追加収納部としての追加収納部２５４から取り出すことができ、よって、釣銭としての硬貨の出金処理を行う途中で異常が発生しても顧客を長い間待たせてしまうことを防止することができるようになる。
【００６９】
また、本実施の形態の貨幣釣銭機においては、上述したように、硬貨釣銭機１００において異常が発生していることを検知する硬貨異常検知手段１６０が設けられており、硬貨用追加収納部としての追加収納部２５４は、硬貨異常検知手段１６０により異常が検知されたときに紙幣釣銭機２００の筐体２１０の外部から当該追加収納部２５４にアクセスすることができるような構成となっている。より詳細には、開閉可能となっており追加収納部２５４を選択的に閉じるカバー部材２５０および追加収納部２５４を閉じた状態でカバー部材２５０をロックするロック機構２５６がそれぞれ設けられており、硬貨異常検知手段１６０により異常が検知されたときにロック機構２５６によるカバー部材２５０のロックが解除されることによりカバー部材２５０を開くことができるようになっている。なお、本実施の形態による貨幣釣銭機の他の例では、カバー部材２５０をロックするロック機構２５６が設けられておらず、操作者はカバー部材２５０を自在に開閉することができるようになっていてもよい。また、本実施の形態による貨幣釣銭機の更に他の例では、追加収納部２５４がカバー部材２５０により選択的に閉じられることに限定されることはない。追加収納部２５４として、硬貨異常検知手段１６０により異常が検知されたときに紙幣釣銭機２００の筐体２１０の外部から当該追加収納部２５４にアクセスすることができるような構成のものであれば、カバー部材２５０の裏側以外の箇所に追加収納部２５４を配置してもよい。
【００７０】
また、本実施の形態の貨幣釣銭機においては、上述したように、硬貨用追加収納部としての追加収納部２５４は、釣銭として用いられるべき紙幣も収納することができるような構成となっている。
【００７１】
また、本実施の形態の貨幣釣銭機においては、上述したように、釣銭として出金されるべき硬貨や紙幣の金種毎の枚数または金額に係る情報を受け付ける出金情報受付手段１４０が設けられており、硬貨異常検知手段１６０により異常が検知されたときに、出金情報受付手段１４０により少なくとも硬貨の出金処理に係る情報が受け付けられていることを条件として、ロック機構２５６によるカバー部材２５０のロックが解除されるようになっていてもよい。この場合には、釣銭としての硬貨の出金処理が行われている途中において、ロック機構２５６によるカバー部材２５０のロックを解除して追加収納部２５４にアクセスすることができるようになる。
【００７２】
また、本実施の形態の貨幣釣銭機においては、上述したように、貨幣の処理状況に関する情報を記憶する記憶部１３４が設けられており、ロック機構２５６によるカバー部材２５０のロックが解除されると、ロック機構２５６によるカバー部材２５０のロックが解除されたという情報が記憶部１３４に記憶されるようになっている。この場合には、釣銭としての硬貨等を操作者が追加収納部２５４から取り出したときに、このような追加収納部２５４からの硬貨等の取り出し動作の履歴を、ロック機構２５６によるカバー部材２５０のロックの解除のログという形で記憶部１３４に記憶させることができるようになる。
【００７３】
また、本実施の形態の貨幣釣銭機においては、上述したように、硬貨用追加収納部としての追加収納部２５４に収納されている貨幣の在高を管理する在高管理手段１４２が設けられており、入金搬送部１０３や周回搬送部２０３ａ等の搬送部には、これらの搬送部により搬送される硬貨や紙幣を識別する硬貨識別部１０１や紙幣識別部２０１が設けられている。また、在高管理手段１４２により管理される貨幣の在高と、硬貨用追加収納部としての追加収納部２５４に収納されている貨幣が硬貨識別部１０１や紙幣識別部２０１により識別されたときの識別結果とが第１比較手段１４４により比較されるようになっている。このことにより、追加収納部２５４から取り出された硬貨や紙幣が全て硬貨釣銭機１００の硬貨受入部１１４や紙幣釣銭機２００の紙幣受入部２１４に投入されていない場合には、在高管理手段１４２により管理される貨幣の在高と、追加収納部２５４に収納されている貨幣が硬貨識別部１０１や紙幣識別部２０１により識別されたときの識別結果とが一致しないと第１比較手段１４４により判別されるようになる。そして、上位制御部１２０は、このような第１比較手段１４４による比較結果に基づいて、追加収納部２５４から取り出された硬貨や紙幣が全て硬貨釣銭機１００の硬貨受入部１１４や紙幣釣銭機２００の紙幣受入部２１４に投入されていないと判断するようになる。このときには、第１操作表示部１１２や第２操作表示部２５２、あるいはＰＯＳレジスタ３００の表示部３０２に警告メッセージを表示させることにより、操作者に対して注意を促すことができるようになる。
【００７４】
なお、本実施の形態による貨幣釣銭機やこのような貨幣釣銭機による貨幣処理方法は、上述したような態様に限定されることはなく、様々な変更を加えることができる。
【００７５】
例えば、少なくとも釣銭として用いられるべき硬貨を収納可能な硬貨用追加収納部が紙幣釣銭機２００に設けられる代わりに硬貨釣銭機１００に設けられるようになっていてもよい。具体的には、硬貨釣銭機１００の筐体１１０の前部上面に開閉可能なカバー部材が設けられており、このカバー部材の裏側に硬貨用追加収納部が設けられていてもよい。この場合には、カバー部材を開くと操作者は硬貨釣銭機１００の筐体１１０の外部から硬貨用追加収納部にアクセスすることができるようになる。このように、硬貨用追加収納部を硬貨釣銭機１００に設けた場合には、貨幣釣銭機において紙幣釣銭機２００の設置を省略し、本発明に係る貨幣釣銭機として硬貨釣銭機１００を単体で用いることができるようになる。
【００７６】
また、本発明に係る貨幣処理システムとして、フロント領域１２の精算所１６に設けられたレジユニット１８の貨幣釣銭機およびＰＯＳレジスタ３００、ならびにバックヤード領域２０に設けられた売上入金機２２を備えたものが用いられてもよい。このような貨幣処理システムでは、貨幣釣銭機において、硬貨収納部１０６や紙幣収納部２０６に収納されている硬貨や紙幣の回収処理を行ったり、貨幣釣銭機の締め処理を行ったりする際に、追加収納部２５４に収納されている釣銭用の硬貨や紙幣もこの追加収納部２５４から取り出されて回収され、回収された硬貨や紙幣は売上入金機２２に入金されるようになる。また、図５に示すように、売上入金機２２には第２比較手段２４が設けられている。ここで、追加収納部２５４から取り出されて回収された硬貨や紙幣が売上入金機２２に入金される際に、在高管理手段１４２により管理されている、追加収納部２５４に収納されている貨幣の在高と、この追加収納部２５４から回収された貨幣が売上入金機２２に入金されたときの入金結果とが第２比較手段２４により比較されるようになっている。そして、両者が一致しないと第２比較手段２４により判別された場合には、追加収納部２５４から取り出された硬貨や紙幣が全て売上入金機２２に入金されていないと上位制御部１２０により判断されるようになる。このときには、第１操作表示部１１２や第２操作表示部２５２、あるいはＰＯＳレジスタ３００の表示部３０２に警告メッセージが表示されるようになる。なお、在高管理手段１４２により管理されている、追加収納部２５４に収納されている貨幣の在高と、この追加収納部２５４から回収された貨幣が売上入金機２２に入金されたときの入金結果とを比較する第２比較手段は、売上入金機２２に設けられることに限定されることはない。このような第２比較手段が管理装置としてのＰＯＳレジスタ３００に設けられていてもよく、あるいは貨幣釣銭機に設けられていてもよい。また、追加収納部２５４に収納されている貨幣の在高を管理する在高管理手段が貨幣釣銭機に設けられる代わりに管理装置としてのＰＯＳレジスタ３００に設けられていてもよい。
【００７７】
また、変形例に係る貨幣釣銭機として図６乃至図８に示すようなものが用いられてもよい。図６乃至図８に示すような変形例に係る貨幣釣銭機は、硬貨釣銭機１００ａおよび紙幣釣銭機２００ａを組み合わせたものである。ここで、変形例に係る貨幣釣銭機の硬貨釣銭機１００ａおよび紙幣釣銭機２００ａを説明するにあたり、図１乃至図５に示す貨幣釣銭機の硬貨釣銭機１００や紙幣釣銭機２００と同一の構成部材については同一の参照符合を付してその説明を省略する。
【００７８】
図６および図７に示すように、変形例に係る貨幣釣銭機の硬貨釣銭機１００ａでは、筐体１１０の前部上面に開閉可能なカバー部材１５０が設けられており、このカバー部材１５０にタッチパネル等の第１操作表示部１１２が設けられている。ここで、図６は、硬貨釣銭機１００ａに設けられたカバー部材１５０および紙幣釣銭機２００ａに設けられたカバー部材２５０をそれぞれ閉じたときの状態を示す図であり、図７は、カバー部材１５０およびカバー部材２５０をそれぞれ開いたときの状態を示す図である。また、硬貨釣銭機１００ａにおけるカバー部材１５０の裏側には追加収納部１５４が設けられており、図７に示すようにカバー部材１５０を開くと操作者は硬貨釣銭機１００ａの筐体１１０の外部から追加収納部１５４にアクセスすることができるようになっている。ここで、図６乃至図８に示すような変形例に係る貨幣釣銭機では、硬貨釣銭機１００ａに設けられた追加収納部１５４には、少なくとも釣銭として用いられるべきバラ硬貨や棒金硬貨が収納されるようになっている。すなわち、硬貨釣銭機１００ａに設けられた追加収納部１５４は、釣銭として用いられるべき硬貨を収納可能な硬貨用追加収納部として機能するようになる。一方、紙幣釣銭機２００ａに設けられた追加収納部２５４には、少なくとも釣銭として用いられるべきバラ紙幣等が収納されるようになっている。すなわち、紙幣釣銭機２００ａに設けられた追加収納部２５４は、釣銭として用いられるべき紙幣を収納可能な紙幣用追加収納部として機能するようになる。図７において、硬貨釣銭機１００ａに設けられた追加収納部１５４に収納されているバラ硬貨を参照符合Ｃで示しており、また、紙幣釣銭機２００ａに設けられた追加収納部２５４に収納されているバラ紙幣を参照符合Ｐで示している。なお、図７では図示していないが、釣銭として用いられるべき棒金硬貨を、硬貨釣銭機１００ａに設けられた追加収納部１５４に収納してもよい。図６乃至図８に示すような変形例に係る貨幣釣銭機でも、硬貨釣銭機１００ａおよび紙幣釣銭機２００ａにそれぞれ追加収納部１５４および追加収納部２５４が設置されていることにより、硬貨釣銭機１００ａや紙幣釣銭機２００ａにおいて釣銭としての硬貨や紙幣の出金処理を行う際に出金搬送部１０８や周回搬送部２０３ａ、接続搬送部２０３ｂ等において硬貨や紙幣のジャムが発生しても操作者はカバー部材１５０やカバー部材２５０を開くことにより追加収納部１５４や追加収納部２５４から釣銭として用いられるべき硬貨や紙幣を取り出すことができ、よって顧客に釣銭としての硬貨や紙幣を迅速に渡すことができるようになる。
【００７９】
また、変形例に係る貨幣釣銭機の硬貨釣銭機１００ａには、図６に示すように追加収納部１５４を閉じた状態でカバー部材１５０をロックするロック機構１５６が設けられている（図８参照）。ここで、ロック機構１５６によりカバー部材１５０が図６に示すような閉じた状態でロックされている場合には、操作者は手動でカバー部材１５０を開くことができないようになる。一方、ロック機構１５６によるカバー部材１５０のロックが解除されると、図７に示すように操作者は手動でカバー部材１５０を開くことができようになる。
【００８０】
図６乃至図８に示すような変形例に係る貨幣釣銭機の硬貨釣銭機１００ａには、追加収納部１５４に収納されている硬貨（具体的には、バラ硬貨）をこの追加収納部１５４から出金搬送部１０８に繰り出す硬貨繰出機構１５８が設けられている（図８参照）。また、紙幣釣銭機２００ａには、追加収納部２５４に収納されている紙幣（具体的には、バラ紙幣）をこの追加収納部２５４から周回搬送部２０３ａに繰り出す紙幣繰出機構２５８が設けられている（図８参照）。
【００８１】
また、変形例に係る貨幣釣銭機において、上位制御部１２０には、上述した出金情報受付手段１４０、在高管理手段１４２および第１比較手段１４４に加えて、異常種類判別手段１４６が接続されている。異常種類判別手段１４６は、貨幣釣銭機の硬貨釣銭機１００ａや紙幣釣銭機２００ａにおいて異常が発生しているときに硬貨および紙幣のうちどちらの種類の貨幣の異常であるかを判別するようになっている。具体的には、硬貨異常検知手段１６０により硬貨釣銭機１００ａで異常が発生していることが検知されたときには、異常種類判別手段１４６は異常が発生している貨幣の種類が硬貨であると判別するようになる。一方、紙幣異常検知手段２６０により紙幣釣銭機２００ａで異常が発生していることが検知されたときには、異常種類判別手段１４６は異常が発生している貨幣の種類が紙幣であると判別するようになる。
【００８２】
図６乃至図８に示すような変形例に係る貨幣釣銭機では、硬貨釣銭機１００ａや紙幣釣銭機２００ａにおいて釣銭としての硬貨や紙幣の出金処理が行われている途中で、硬貨釣銭機１００ａの出金搬送部１０８で硬貨のジャムが発生することにより当該硬貨釣銭機１００ａにおいて異常が発生していることが硬貨異常検知手段１６０により検知されると、上位制御部１２０は、異常種類判別手段１４６による異常が発生している貨幣の種類の判別結果に基づいて、硬貨釣銭機１００ａに設けられたロック機構１５６および紙幣釣銭機２００ａに設けられたロック機構２５６のうちロック機構１５６によるカバー部材１５０のロックのみを解除させる。このことにより、操作者はカバー部材１５０およびカバー部材２５０のうちカバー部材１５０のみを開くことができるようになり、カバー部材１５０を開いた操作者は釣銭として用いられるべき硬貨を追加収納部１５４から取り出すことができるようになる。一方、硬貨釣銭機１００ａや紙幣釣銭機２００ａにおいて釣銭としての硬貨や紙幣の出金処理が行われている途中で、紙幣釣銭機２００ａの周回搬送部２０３ａや接続搬送部２０３ｂで紙幣のジャムが発生することにより当該紙幣釣銭機２００ａにおいて異常が発生していることが紙幣異常検知手段２６０により検知されると、上位制御部１２０は、異常種類判別手段１４６による異常が発生している貨幣の種類の判別結果に基づいて、硬貨釣銭機１００ａに設けられたロック機構１５６および紙幣釣銭機２００ａに設けられたロック機構２５６のうちロック機構２５６によるカバー部材２５０のロックのみを解除させる。このことにより、操作者はカバー部材１５０およびカバー部材２５０のうちカバー部材２５０のみを開くことができるようになり、カバー部材２５０を開いた操作者は追加収納部２５４から釣銭として用いられるべき紙幣を取り出すことができるようになる。このように、図６乃至図８に示すような変形例に係る貨幣釣銭機では、硬貨用追加収納部として機能する追加収納部１５４および紙幣用追加収納部として機能する追加収納部２５４は、それぞれ、異常種類判別手段１４６により判別された貨幣の種類に対応する追加収納部１５４、２５４にアクセスすることができるような構成となっている。
【００８３】
また、図６乃至図８に示すような変形例に係る貨幣釣銭機において、硬貨異常検知手段１６０や紙幣異常検知手段２６０により硬貨釣銭機１００ａや紙幣釣銭機２００ａにおいて異常が発生していることが検知されたときに、ロック機構１５６やロック機構２５６によるカバー部材１５０、２５０のロックが解除される代わりに、以下に示すような処理が行われるようになっていてもよい。すなわち、硬貨釣銭機１００ａや紙幣釣銭機２００ａにおいて釣銭としての硬貨や紙幣の出金処理が行われている途中で、硬貨釣銭機１００ａの出金搬送部１０８で硬貨のジャムが発生することにより当該硬貨釣銭機１００ａにおいて異常が発生していることが硬貨異常検知手段１６０により検知されると、上位制御部１２０は、異常種類判別手段１４６による異常が発生している貨幣の種類の判別結果に基づいて、硬貨釣銭機１００ａの追加収納部１５４に設けられた硬貨繰出機構１５８により追加収納部１５４に収納されている硬貨を出金搬送部１０８に繰り出させ、この繰り出された硬貨を出金搬送部１０８により硬貨払出部１１６に送る。このことにより、硬貨釣銭機１００ａにおいて、追加収納部１５４から出金搬送部１０８に繰り出された硬貨を釣銭として出金することができるようになる。一方、硬貨釣銭機１００ａや紙幣釣銭機２００ａにおいて釣銭としての硬貨や紙幣の出金処理が行われている途中で、紙幣釣銭機２００ａの周回搬送部２０３ａや接続搬送部２０３ｂで紙幣のジャムが発生することにより当該紙幣釣銭機２００ａにおいて異常が発生していることが紙幣異常検知手段２６０により検知されると、上位制御部１２０は、異常種類判別手段１４６による異常が発生している貨幣の種類の判別結果に基づいて、紙幣釣銭機２００ａの追加収納部２５４に設けられた紙幣繰出機構２５８により追加収納部２５４に収納されている紙幣を周回搬送部２０３ａに繰り出させ、この繰り出された紙幣を周回搬送部２０３ａにより紙幣払出部２１６に送る。このことにより、紙幣釣銭機２００ａにおいて、追加収納部２５４から周回搬送部２０３ａに繰り出された紙幣を釣銭として出金することができるようになる。このように、図６乃至図８に示すような変形例に係る貨幣釣銭機において、硬貨用追加収納部として機能する追加収納部１５４および紙幣用追加収納部として機能する追加収納部２５４は、それぞれ、異常種類判別手段１４６により判別された貨幣の種類に対応する追加収納部１５４、２５４から出金搬送部１０８や周回搬送部２０３ａに硬貨または紙幣を繰り出すことができるような構成となっており、追加収納部１５４、２５４から出金搬送部１０８や周回搬送部２０３ａに繰り出された硬貨または紙幣が釣銭として硬貨釣銭機１００ａや紙幣釣銭機２００ａから出金されるようになっていてもよい。
【００８４】
なお、追加収納部１５４、２５４から出金搬送部１０８や周回搬送部２０３ａに硬貨や紙幣を繰り出して出金する際に、硬貨払出部１１６や紙幣払出部２１６に硬貨や紙幣を送るのではなく、硬貨払出部１１６や紙幣払出部２１６とは別に設けられた専用の出金口（図示せず）やリジェクト部（図示せず）、あるいは返却口（図示せず）に硬貨や紙幣を送ってもよい。
【００８５】
また、別の変形例に係る貨幣釣銭機において、硬貨釣銭機１００、１００ａや紙幣釣銭機２００、２００ａに加えて、棒金硬貨を収納する棒金ドロアが引き出し可能に設けられた棒金収納庫が設けられていてもよい。この場合には、少なくとも釣銭として用いられるべき硬貨を収納可能な硬貨用追加収納部として棒金収納庫の棒金ドロアが用いられるようになっていてもよい。また、棒金ドロアに、釣銭として用いられるべき紙幣が収納可能な紙幣用追加収納部が設けられていてもよい。
【符号の説明】
【００８６】
１０      店舗
１２      フロント領域
１４      商品棚
１６      精算所
１８      レジユニット
２０      バックヤード領域
２２      売上入金機
２４      第２比較手段
１００、１００ａ  硬貨釣銭機
１０１    硬貨識別部
１０３    入金搬送部
１０４    分岐部
１０６    硬貨収納部
１０８    出金搬送部
１１０    筐体
１１２    第１操作表示部
１１４    硬貨受入部
１１４ａ  残留検知センサ
１１６    硬貨払出部
１１６ａ  抜き取り検知センサ
１２０    上位制御部
１３０    硬貨釣銭機制御部
１３２    インターフェース
１３４    記憶部
１４０    出金情報受付手段
１４２    在高管理手段
１４４    第１比較手段
１４６    異常種類判別手段
１５０    カバー部材
１５４    追加収納部
１５６    ロック機構
１５８    硬貨繰出機構
１６０    硬貨異常検知手段
２００、２００ａ  紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２３２    インターフェース
２５０    カバー部材
２５２    第２操作表示部
２５４    追加収納部
２５６    ロック機構
２５８    紙幣繰出機構
２６０    紙幣異常検知手段
３００    ＰＯＳレジスタ
３０２    表示部
３０２ａ  追加の表示部
３０４    操作部
３３０    ＰＯＳ制御部
３３２    インターフェース
３３４    記憶部
３３６    カードリーダライタ
３３８    印字部
３５０    バーコードスキャナ
５００    店舗サーバ
【図１】
2017142688.tif 000003
【図２】
2017142688.tif 000004
【図３】
2017142688.tif 000005
【図４】
2017142688.tif 000006
【図５】
2017142688.tif 000007
【図６】
2017142688.tif 000008
【図７】
2017142688.tif 000009
【図８】
2017142688.tif 000010